(57)【要約】【課題】安全性を確保しつつ、屋根作業の安全対策のための親綱の設置作業を簡単且つ短時間で行うこと。【解決手段】本発明に係る方法は、先ず、家屋Ｈの一方側の第１の地面領域Ｇ１に位置する作業者Ｍが、家屋Ｈの他方側の第２の地面領域Ｇ２に向かって、屋根Ｒ上を通過するようにロープ本体１８が固定されたボール１７を投げ、屋根Ｒを跨いで各地面領域Ｇ１，Ｇ２の間にロープ本体１８を配置する。次いで、第２の地面領域Ｇ２に達したロープ本体１８に親綱Ｃの一端側を接続し、ロープ本体１８を牽引し、親綱Ｃの一端側を第１の地面領域Ｇ１に移動させる。これと前後して、梯子１４が取り付けられた固定部材１２に親綱Ｃの他端側を接続する。そして、梯子１４を、第２の地面領域Ｇ２側の軒先部Ｈ１に立て掛け、地上からの操作で固定部材１２を軒先部Ｈ１に固定する。【選択図】          図３
2013007196.tif 000002
【特許請求の範囲】
【請求項１】
弾性を有するボールが一端側に固定されたガイドロープと、地上からの操作で家屋の軒先部に固定可能に設けられるとともに、親綱を取り付け可能な固定部材と、当該固定部材が取り付けられた梯子とを用い、家屋の屋根上に親綱を設置する方法において、
家屋の一方側となる第１の地面領域に位置する作業者が、家屋の他方側の第２の地面領域に向かって、屋根上を通過するように前記ボールを投げ、屋根を跨いで前記第１及び第２の地面領域の間に前記ガイドロープを配置し、
前記第２の地面領域に位置する作業者が、当該第２の地面領域に達した前記ガイドロープに前記親綱の一端側を接続し、
前記第１の地面領域に位置する作業者が、前記ガイドロープを牽引し、前記親綱の一端側を前記第２の地面領域から第１の地面領域に向かって前記屋根を跨いで移動させ、その前後何れかで、前記第２の地面領域に配置された前記固定部材に前記親綱の他端側を接続し、
前記第２の地面領域に位置する作業者が、前記固定部材に取り付けられた状態の梯子を、前記第２の地面領域側の前記軒先部に立て掛け、地上からの操作で前記固定部材を前記軒先部に固定することを特徴とする屋根作業時の親綱の設置方法。
【請求項２】
前記ガイドロープを配置するときに、前記ボールが前記屋根にバウンドして前記第２の地面領域に移動するように、前記作業者が前記ボールを投げることを特徴とする請求項１記載の屋根作業時の親綱の設置方法。
【請求項３】
地上からの操作で家屋の軒先部に固定可能に設けられるとともに、親綱を取り付け可能な固定部材と、当該固定部材が取り付けられた梯子とを用い、家屋の屋根上に親綱を設置する方法において、
地上に位置する作業者が、前記固定部材に取り付けられた状態の梯子を前記軒先部に立て掛け、地上からの操作で前記固定部材を前記軒先部に固定する第１の手順と、
前記作業者が、前記親綱を担ぎながら梯子を登って、当該親綱の一端側を前記固定部材に接続する第２の手順と、
前記作業者により、前記固定部材に一端側が接続された状態の親綱を反対側の屋根側まで延ばす第３の手順と、を順に行い、前記屋根上に前記親綱を設置することを特徴とする屋根作業時の親綱の設置方法。
【請求項４】
前記第３の手順では、前記作業者が、前記固定部材に一端側が接続された状態の前記親綱を持ちながら前記屋根上を移動することで、前記親綱を反対側の屋根まで延ばすことを特徴とする請求項３記載の屋根作業時の親綱の設置方法。
【請求項５】
前記親綱の他端側に、弾性を有するボールが一端側に固定されたガイドロープを接続した状態で、前記第３の手順では、前記作業者が、前記梯子に登った状態で前記ボールを前記反対側の屋根に向かって投げ、当該反対側の屋根から地上に落下した前記ガイドロープを前記作業者が前記地上側から牽引することで、前記親綱を反対側の屋根まで延ばすことを特徴とする請求項３記載の屋根作業時の親綱の設置方法。
【請求項６】
前記作業者が前記梯子を登る前に、当該作業者と前記梯子との間を連結手段で連結することを特徴とする請求項４又は５記載の屋根作業時の親綱の設置方法。
【請求項７】
前記連結手段は、前記梯子に固定されるロープと、このロープに繋がって当該ロープの巻き取り及び繰り出しを可能に設けられるとともに、前記ロープに所定値以上の張力が作用したときに当該ロープの繰り出し量を規制する墜落防止器具とからなり、
前記作業者が、身体の一部に前記墜落防止器具を取り付けてから前記梯子を登ることを特徴とする請求項６記載の屋根作業時の親綱の設置方法。
【請求項８】
前記梯子を前記軒先部に立て掛ける際に、地上に設置した状態の前記梯子の下側部分に紐状体の一端側を接続し、前記地上と前記梯子との間に前記紐状体を介在させた状態で、当該紐状体の他端側を前記梯子の上側部分に向かって張力を付与しながら延ばしてから、前記作業者が、前記紐状体を踏んだ状態で当該紐状体の他端側から一端側に向かって歩きながら、前記梯子を次第に起立させることを特徴とする請求項１〜７の何れかに記載の屋根作業時の親綱の設置方法。
【請求項９】
親綱が接続され、当該親綱を所定の場所に配置するために当該親綱に先行して牽引されるガイドロープにおいて、
ロープ本体と、当該ロープ本体の一端側に固定されるとともに、弾性体からなるボールとを備え、
前記ボールには、表面から中心に向かって延びる固定穴が形成され、当該固定穴内にロープ本体の一端側が固定されていることを特徴とするガイドロープ。
【発明の詳細な説明】
【技術分野】
【０００１】
本発明は、屋根作業時の親綱の設置方法及び当該方法に用いるガイドロープに係り、更に詳しくは、屋根上での現場調査等の各種屋根作業時における作業者の安全を確保するための親綱の設置方法及び当該方法に用いるガイドロープに関する。
【背景技術】
【０００２】
通常、作業者が屋根上で現場調査やソーラーパネルの設置等の各種作業を行う際には、作業者の屋根からの転落防止等の観点から、種々の安全対策が行われる。当該安全対策として、一般的には、端部が固定された親綱を屋根上に配置した後、作業者の身体の一部に装着されたロープを親綱に連結した状態で、作業者が屋根上で作業を行う。この安全対策のための親綱の設置手法としては、特許文献１に開示された手法がある。
【０００３】
特許文献１の手法では、次のようにして親綱が屋根上に設置される。すなわち、軟式テニスボールに先行紐が括り付けられた後、作業者によって、当該ボールが屋根棟を越えるように投げられる。その後、先行紐の端部に親ベルトの端部が連結された状態で、家屋の反対側より先行紐が牽引され、親ベルトが屋根上の所定位置を横切るように配置される。そして、作業者が軒先部に立て掛けられた梯子を登り、把持器具が軒先部に取り付けられた後、把持器具に親ベルトの両端側が固定され、屋根上に親ベルトが張設される。更に、軒先部に固定された把持器具に親ロープが連結されて地上に垂下される。そして、作業者の身体に装着されたロープを親ロープに連結した状態で、作業者が梯子を登って屋根上に移動した後、屋根上に張設された親ベルトに移動用ロープが取り付けられる。その後、作業者は、身体に装着されたロープを移動用ロープに連結した状態で屋根上での作業を行う。
【先行技術文献】
【特許文献】
【０００４】
【特許文献１】特開２００５−１３９８１３号公報
【発明の概要】
【発明が解決しようとする課題】
【０００５】
しかしながら、前記特許文献１の手法にあっては、親綱として機能する親ロープと移動用ロープを設置する前に親ベルトの設置をしなければならず、安全対策用の親綱の設置作業に手間と時間が掛かるという不都合がある。また、把持器具を軒先部に取り付ける際には、親綱として機能する親ロープが未だ設置されないため、作業員は、親綱なしで把持器具を抱えながら梯子を上らなければならず、親綱設置のための安全対策が不十分となる。更に、親ベルトを設置する際に用いられる先行紐には、軟式テニスボールが括り付けられているのみであることから、ボールを投げたときに、先行紐がボールから外れ易くなり、先行紐を家屋の反対側に確実に到達させにくい。従って、先行紐を確実に家屋に反対側に到達させるには、何度もボールを投げなければならなくなる虞があり、この点も、親綱の設置作業に手間と時間が掛かる要因となる。
【０００６】
本発明は、このような不都合に着目して案出されたものであり、その目的は、安全性を確保しつつ、屋根作業の安全対策のための親綱の設置作業を簡単且つ短時間で行うことができる屋根作業時の親綱の設置方法及び当該方法に用いるガイドロープを提供することにある。
【課題を解決するための手段】
【０００７】
（１）前記目的を達成するため、本発明は、弾性を有するボールが一端側に固定されたガイドロープと、地上からの操作で家屋の軒先部に固定可能に設けられるとともに、親綱を取り付け可能な固定部材と、当該固定部材が取り付けられた梯子とを用い、家屋の屋根上に親綱を設置する方法において、
家屋の一方側となる第１の地面領域に位置する作業者が、家屋の他方側の第２の地面領域に向かって、屋根上を通過するように前記ボールを投げ、屋根を跨いで前記第１及び第２の地面領域の間に前記ガイドロープを配置し、
前記第２の地面領域に位置する作業者が、当該第２の地面領域に達した前記ガイドロープに前記親綱の一端側を接続し、
前記第１の地面領域に位置する作業者が、前記ガイドロープを牽引し、前記親綱の一端側を前記第２の地面領域から第１の地面領域に向かって前記屋根を跨いで移動させ、その前後何れかで、前記第２の地面領域に配置された前記固定部材に前記親綱の他端側を接続し、
前記第２の地面領域に位置する作業者が、前記固定部材に取り付けられた状態の梯子を、前記第２の地面領域側の前記軒先部に立て掛け、地上からの操作で前記固定部材を前記軒先部に固定する、という手法を採っている。
【０００８】
（２）また、前記ガイドロープを配置するときに、前記ボールが前記屋根にバウンドして前記第２の地面領域に移動するように、前記作業者が前記ボールを投げる、という手法を採ることが好ましい。
【０００９】
（３）更に、本発明は、地上からの操作で家屋の軒先部に固定可能に設けられるとともに、親綱を取り付け可能な固定部材と、当該固定部材が取り付けられた梯子とを用い、家屋の屋根上に親綱を設置する方法において、
地上に位置する作業者が、前記固定部材に取り付けられた状態の梯子を前記軒先部に立て掛け、地上からの操作で前記固定部材を前記軒先部に固定する第１の手順と、
前記作業者が、前記親綱を担ぎながら梯子を登って、当該親綱の一端側を前記固定部材に接続する第２の手順と、
前記作業者により、前記固定部材に一端側が接続された状態の親綱を反対側の屋根側まで延ばす第３の手順と、を順に行い、前記屋根上に前記親綱を設置する、という手法を採っている。
【００１０】
（４）ここで、前記第３の手順では、前記作業者が、前記固定部材に一端側が接続された状態の前記親綱を持ちながら前記屋根上を移動することで、前記親綱を反対側の屋根まで延ばす、という手法を採ることができる。
【００１１】
（５）また、前記親綱の他端側に、弾性を有するボールが一端側に固定されたガイドロープを接続した状態で、前記第３の手順では、前記作業者が、前記梯子に登った状態で前記ボールを前記反対側の屋根に向かって投げ、当該反対側の屋根から地上に落下した前記ガイドロープを前記作業者が前記地上側から牽引することで、前記親綱を反対側の屋根まで延ばす、という手法を採ることが好ましい。
【００１２】
（６）更に、前記作業者が前記梯子を登る前に、当該作業者と前記梯子との間を連結手段で連結する、という手法を採ると良い。
【００１３】
（７）ここで、前記連結手段は、前記梯子に固定されるロープと、このロープに繋がって当該ロープの巻き取り及び繰り出しを可能に設けられるとともに、前記ロープに所定値以上の張力が作用したときに当該ロープの繰り出し量を規制する墜落防止器具とからなり、
前記作業者が、身体の一部に前記墜落防止器具を取り付けてから前記梯子を登る、という手法を採ると良い。
【００１４】
（８）また、前記梯子を前記軒先部に立て掛ける際に、地上に設置した状態の前記梯子の下側部分に紐状体の一端側を接続し、前記地上と前記梯子との間に前記紐状体を介在させた状態で、当該紐状体の他端側を前記梯子の上側部分に向かって張力を付与しながら延ばしてから、前記作業者が、前記紐状体を踏んだ状態で当該紐状体の他端側から一端側に向かって歩きながら、前記梯子を次第に起立させる、という手法を採ることが好ましい。
【００１５】
（９）更に、本発明は、親綱が接続され、当該親綱を所定の場所に配置するために当該親綱に先行して牽引されるガイドロープにおいて、
ロープ本体と、当該ロープ本体の一端側に固定されるとともに、弾性体からなるボールとを備え、
前記ボールには、表面から中心に向かって延びる固定穴が形成され、当該固定穴内にロープ本体の一端側が固定される、という構成を採っている。
【発明の効果】
【００１６】
前記（１）の手法によれば、親綱を屋根上の所定の場所に設置する際の工程数が、従来よりも大幅に削減されるとともに、親綱を屋根上に設置する作業を全て地上で行うことができ、親綱の設置作業の安全性を確保しつつ、当該設置作業を簡単且つ短時間で行うことができる。
【００１７】
また、前記（２）の手法により、家屋の高さや周囲の状況等によって、ボールをノーバウンドで家屋の反対側に投げることができない場合でも、第２の地面領域側の屋根の傾斜面を利用し、ガイドロープの一端側を確実に第２の地面領域に到達させることが可能になる。
【００１８】
更に、前記（３）の手法によれば、親綱を屋根上の所定の場所に設置する際の工程数が、従来よりも大幅に削減され、親綱の設置作業の安全性を確保しつつ、当該設置作業を簡単且つ短時間で行うことができる。
【００１９】
また、前記（４）の手法によれば、屋根上への親綱の設置作業が終了した時点で、現場調査等の作業を行う屋根上に作業者が存在することになり、作業者の身体の一部に装着された安全帯を親綱に接続することで、すぐに現場調査を行うことができ、現場調査のための一連の作業をスムーズに行うことができる。
【００２０】
更に、前記（５）の手法により、ボールを地上から投げる場合に対し、より簡単且つ確実に反対側の屋根から地上にガイドロープを落下させることができる。また、ガイドロープを十分に長くすることで、重量のある親綱を屋根上に投げる必要がなくなり、親綱による屋根面の損傷を防止することができる。更に、親綱を設置する際に、作業者が屋根上を移動する必要がないため、親綱を屋根上に設置する際の安全性をより高めることができる。
【００２１】
また、前記（６）、（７）の手法によれば、作業者が梯子に登る段階から墜落防止の安全対策が施されることになり、作業者は、更に安全な状態で親綱を屋根上に設置することが可能になる。
【００２２】
更に、前記（８）の手法により、梯子を軒先部に立て掛ける作業を作業者一人で行うことができ、親綱の設置作業全体を一人の作業者で行うことが可能になる。
【００２３】
また、前記（９）の構成により、作業者がボールを投げたときに、当該ボールがロープ本体から外れにくくなり、ロープ本体をボールとともに家屋の反対側に確実に到達させることができ、親綱の設置作業の時間短縮化に大幅に寄与することができる。特に、ボールを屋根等に一度バウンドさせた場合でも、ボールがロープ本体から外れにくいため、家屋の反対側にロープ本体を確実に到達させることができる。
【図面の簡単な説明】
【００２４】
【図１】本発明に係る方法で親綱が設置された状態の家屋の概略側面図。
【図２】（Ａ）、は、第１実施形態に係る方法に用いられるガイドロープの概略正面図であり、（Ｂ）は、前記方法に用いられる固定部材と梯子を家屋の一部とともに示した概略側面図である。
【図３】（Ａ）、（Ｂ）、（Ｃ）は、第１実施形態に係る親綱の設置方法を順に説明するための概略図である。
【図４】（Ａ）、（Ｂ）、（Ｃ）は、第２実施形態に係る親綱の設置方法を順に説明するための概略図である。
【図５】（Ａ）、（Ｂ）は、第３実施形態に係る親綱の設置方法を順に説明するための概略図である。
【図６】（Ａ）、（Ｂ）、（Ｃ）は、変形例に係る梯子の設置手順を説明するための概略図である。
【発明を実施するための形態】
【００２５】
以下、本発明の実施形態について図面を参照しながら説明する。
【００２６】
（第１実施形態）
図１には、第１実施形態に係る方法で親綱が設置された状態の概略側面図が示されており、図２（Ａ），（Ｂ）には、当該親綱の設置方法に用いられる各種器具の概略図が示されている。これらの図において、前記器具は、図２（Ａ）に示されるガイドロープ１１と、同（Ｂ）に示され、家屋Ｈの軒先部Ｈ１に固定される固定部材１２と、当該固定部材１２が取り付けられる梯子１４とからなる。
【００２７】
前記ガイドロープ１１は、紐状のロープ本体１６と、ロープ本体１６の一端側に固定された球状のボール１７とを備えている。このボール１７は、軟式野球ボールやテニスボール等のような球体を例示できるが、ある程度の弾性を有する弾性体からなる球体であれば何でも良い。また、ボール１７のほぼ中央には、表面から中心に向かって延びる固定穴１９が形成されており、当該固定穴１９内にロープ本体１６の一端側が挿入された状態で、図示省略した金具等によって、ロープ本体１６の一端側がボール１７の内部に埋め込まれて脱落不能に固定されている。
【００２８】
前記固定部材１２は、梯子１４の左右何れか一方の支柱１４Ａに固定された状態で、軒先部Ｈ１に移動不能に装着可能であり、且つ、親綱Ｃを連結できるものであれば何でも良い。具体的に、ここでの固定部材１２は、軒先部Ｈ１を挟持可能な本体フレーム２３と、当該本体フレーム２３の中央に回転可能に取り付けられ、梯子１４の支柱１４Ａを把持した状態で固定可能な梯子固定部２４とを備えている。本体フレーム２３は、側面視ほぼコ字状をなし、本体フレーム２３から延びる紐２８を操作することにより、上下両側のアーム部分２３Ａ，２３Ｂが離間接近可能な構造となっている。このため、上下両側のアーム部分２３Ａ，２３Ｂで軒先部Ｈ１を挟み込むことにより、固定部材１２と当該固定部材１２に取り付けられた梯子１４が軒先部Ｈ１に固定される。また、図示省略しているが、上側のアーム部分２３Ａの先端側には、親綱Ｃの端部に取り付けられたカラビナＫを脱落不能に連結可能となる軸部材が設けられている。
【００２９】
次に、第１実施形態に係る親綱Ｃの設置方法について説明する。なお、以下の説明の便宜上、親綱Ｃが設置される家屋の屋根について、家屋Ｈの棟部Ｈ２から図１中左側に位置する屋根Ｒの領域を「第１の屋根領域Ｒ１」と称し、同右側に位置する領域を「第２の屋根領域Ｒ２」と称する。また、第１の屋根領域Ｒ１側となる家屋Ｈの横の地面領域を「第１の地面領域Ｇ１」と称し、第２の屋根領域Ｒ２側となる家屋Ｈの横の地面領域を「第２の地面領域Ｇ２」と称する。
【００３０】
先ず、図３（Ａ）に示されるように、作業者Ｍが、家屋Ｈの一方側の地面領域である第１の地面領域Ｇ１に位置し、棟部Ｈ２の上方を横切るように、ボール１７を第２の屋根領域Ｒ２に向かって投げ、当該ボール１７を家屋Ｈの反対側の地面領域である第２の地面領域Ｇ２に落とす。この際、ボール１７は、第２の地面領域Ｇ２にノーバウンドで落としても良いし、第２の屋根領域Ｒ２にバウンドさせてから、当該第２の屋根領域Ｒ２の傾斜面を利用して、第２の地面領域Ｇ２に落としても良い。このとき、ボール１７が接続されたロープ本体１６は、ボール１７の移動に伴って移動し、ボール１７が第２の地面領域Ｇ２に到達したときに、ボール１７が固定されたロープ本体１６の先端側も第２の地面領域Ｇ２に到達する。この状態では、ロープ本体１６が、第１の地面領域Ｇ１から第１及び第２の屋根領域Ｒ１，Ｒ２を跨がって第２の地面領域Ｇ２まで延びた状態で配置されることになる。
【００３１】
それと前後して、第２の地面領域Ｇ２には、親綱Ｃ、固定部材１２及び梯子１４を配置しておく。このとき、固定部材１２は、梯子１４の支柱１４Ａの上部側の所定位置に予め取り付けておく。この状態から、ロープ本体１６の先端側がボール１７とともに第２の地面領域Ｇに到達した後、図３（Ｂ）に示されるように、ロープ本体１６の先端側と親綱Ｃの一端側とが接続される。
【００３２】
そして、図３（Ｃ）に示されるように、第１の地面領域Ｇ１に位置する作業者Ｍが、第１の地面領域Ｇ１側に残されたロープ本体１６を牽引することにより、ロープ本体１６の先端側を第２の地面領域Ｇ２から第１の地面領域Ｇ１に引き戻す。この際、ロープ本体１６の先端側に連結された親綱Ｃの一端側は、先行するガイドロープ１１とともに、第２の地面領域Ｇ２から第２の屋根領域Ｒ２、第１の屋根領域Ｒ１を順に経て、第１の地面領域Ｇ１側に移動する。これにより、親綱Ｃは、第１及び第２の屋根領域Ｒ１，Ｒ２に跨がりながら、第１及び第２の地面領域Ｇ１，Ｇ２間に延びた状態で配置されることになる。
【００３３】
このとき、第２の地面領域Ｇ２に位置する作業者Ｍが、第２の地面領域Ｇ２に残された親綱Ｃの他端側に接続されたカラビナＫを固定部材１２に連結する。その後、作業者Ｍが第２の屋根領域Ｒ２の軒先部Ｈ１に梯子１４を立て掛け、梯子１４に一体化された固定部材１２の上下両側のアーム部分２３Ａ，２３Ｂの間に軒先部Ｈ１を位置させる。そして、第２の地面領域Ｇ２に位置する作業者Ｍが、本体フレーム２３から地上に向かって垂下した紐２８を操作し、上下両側のアーム部分２３Ａ，２３Ｂの間に軒先部Ｈ１を挟み込んで、固定部材１２及び梯子１４を軒先部Ｈ１に固定する（図１参照）。これにより、梯子Ｈ１が家屋Ｈに固定されるとともに、親綱Ｃの他端側が第２の屋根領域Ｒ２の軒先部Ｈ１に固定され、親綱Ｃは、当該固定部分から、第２の屋根領域Ｒ２、棟部Ｈ２、及び第１の屋根領域Ｒ１を通って第１の地上領域Ｇ１側に延びた状態となり、親綱Ｃの設置が完了する。なお、作業者Ｍが親綱Ｃの一端側をガイドロープ１１から取り外すのは、親綱Ｃの一端側が第１の地面領域Ｇ１に達した後であれば、いつでも良い。
【００３４】
その後、作業者Ｍは、第１の地上領域Ｇ１側で、作業者Ｍの身体の一部に装着された安全帯（図示省略）を親綱Ｃに接続し、第１の屋根領域Ｒ１の軒先部Ｈ１に新たに立て掛けて固定された梯子（図示省略）を登って、第１の屋根領域Ｒ１の現場調査等の作業を行うことになる。
【００３５】
なお、第２の屋根領域Ｒ２での作業の必要がある場合には、前述と同様の手順で、家屋Ｈの反対側から前述と逆方向に親綱Ｃを設置すれば良い。すなわち、固定部材１２で、第１の屋根領域Ｒ１の軒先部Ｈ１に親綱Ｃの一端側を固定し、親綱Ｃが、第１の屋根領域Ｒ１、棟部Ｈ２、第２の屋根領域Ｒ２を経て、第２の地上領域Ｇ２側に延びた状態にすれば良い。
【００３６】
従って、このような第１実施形態によれば、屋根Ｒ上への親綱Ｃの設置作業を全て地上で行うことができ、当該親綱Ｃの設置時における作業者Ｍの安全を確保できるとともに、親綱Ｃの設置作業を簡単に且つ短時間で行うことができるという効果を得る。
【００３７】
また、ロープ本体１６にボール１７が固定されているため、ボール１７を反対側の屋根Ｒにバウンドさせても、ボール１７からロープ本体１６が外れてしまう虞が殆どない。このため、ボール１７をノーバウンドで家屋の反対側の地面に達するように投げる必要がなく、大型の家屋Ｈの場合や、家屋Ｈの横に十分なスペースがない場合でも、特殊な投球機器等を用いる必要がなく、屋根Ｒのバウンドを利用して、ロープ本体１６の先端側を簡単に反対側の地面に到達させることができる。
【００３８】
なお、第１の地上領域Ｇ１側で作業する作業者Ｍ、及び第２の地上領域Ｇ２側で作業する作業者Ｍは、同一人で別人でも構わない。
【００３９】
次に、本発明の他の実施形態について説明する。なお、以下の説明において、前記第１実施形態と同一若しくは同等の構成部分については同一符号を用いるものとし、説明を省略若しくは簡略にする。
【００４０】
（第２実施形態）
本実施形態では、固定部材１２が取り付けられた状態の梯子１４を用い、次の手順で親綱Ｃが屋根Ｒ上に設置される。先ず、図４（Ａ）に示されるように、梯子１４の一部に、作業者Ｍの墜落防止のための連結手段３０が取り付けられる。この連結手段３０は、梯子１４の支柱１４Ａ，１４Ａ間の上下複数位置に掛け渡された踏さん（図示省略）に固定されるロープ３２と、ロープ３２に繋がって作業者Ｍに装着される墜落防止器具３３とからなる。この墜落防止器具３３としては、ロープ３２の巻き取り及び繰り出しを可能にし、作業者Ｍの墜落時等、ロープ３２に予め設定された値以上の張力が作用したときにロープ３２の繰り出し量を規制することのできる公知の構造のものが採用される。
【００４１】
次に、第１実施形態と同様に、図４（Ａ）中右側の第２の屋根領域Ｒ２の軒先部Ｈ１に梯子１４を固定する。すなわち、ここでは、作業者Ｍが、梯子１４を立てて、梯子１４に一体化された固定部材１２のアーム部分２３Ａ，２３Ｂの間に軒先部Ｈ１を位置させる。そして、第２の地面領域Ｇ２に位置する作業者Ｍが、本体フレーム２３から地上に向かって垂下した紐２８を操作し、アーム部分２３Ａ，２３Ｂの間に軒先部Ｈ１を挟み込んで、固定部材１２及び梯子１４を軒先部Ｈ１に固定する。
【００４２】
その後、作業者Ｍは、身体の一部に装着された安全帯（図示省略）に墜落防止器具３３を取り付け、図４（Ｂ）に示されるように、連結手段３０により梯子１４に繋がれた状態で、梯子１４を登る。ここで、作業者Ｍは、親綱Ｃを担いでおり、軒先部Ｈ１の近傍に達したら、親綱Ｃの一端側に接続されたカラビナＫを固定部材１２に連結する。そして、作業者Ｍは、図４（Ｃ）に示されるように、連結手段３０で梯子１４に連結された状態のまま、親綱Ｃを持って第２の屋根領域Ｒ２を棟部Ｈ２に向かって登り、反対側の第１の屋根領域Ｒ１に達したら、屋根Ｒ上への親綱Ｃの設置が完了する。その後、作業者Ｍは、自身が装着している前記安全帯（図示省略）に親綱Ｃを接続するとともに、当該安全帯から墜落防止器具３３を取り外し、第１の屋根領域Ｒ１の現場調査等の作業を行うことになる。
【００４３】
（第３実施形態）
本実施形態では、前記ガイドロープ１１、前記固定部材１２、前記梯子１４、及び前記連結手段３０を用い、次の手順で親綱Ｃが屋根Ｒ上に設置される。
【００４４】
先ず、前記各実施形態と同じように固定部材１２が取り付けられた梯子１４を軒先部Ｈ１に固定する。そして、ロープ本体１６の先端側を親綱Ｃの一端側に接続した上で、作業者Ｍが、相互に接続されたガイドロープ１１と親綱Ｃを担いで梯子１４を登り、親綱Ｃの他端側に接続されたカラビナＫを固定部材１２に連結する。ここでの作業は、第２実施形態と同様、作業者Ｍと梯子１４とが連結手段３０で連結された状態で行われる。
【００４５】
次いで、図５（Ａ）に示されるように、作業者Ｍが第２の地面領域Ｇ２から梯子１４を登った状態で、ボール１７を反対側の第１の屋根領域Ｒ１に向かって投げ、反対側の第１地面領域Ｇ１にボール１７を落とす。この際、第１実施形態と同様に、第１の屋根領域Ｒ１にボール１７をバウンドさせても良い。
【００４６】
そして、図５（Ｂ）に示されるように、第１の地面領域Ｇ１に位置する作業者Ｍが、ボール１７とともに第１の地面領域Ｇ１側に到達したロープ本体１６を牽引することにより、ガイドロープ１１と、当該ガイドロープ１１に接続された親綱Ｃを第１の地面領域Ｇ１側に移動させる。このとき、親綱Ｃは、その他端側が固定部材１２で固定された状態で、ガイドロープ１１に追従しながら、第２の屋根領域Ｒ２から第１の屋根領域Ｒ１を経て第１の地面領域Ｇ１側に移動し、親綱Ｃが屋根Ｒ上に配置される。なお、ガイドロープ１１の牽引作業は、ボール１７を投げた作業者Ｍが梯子１４を降りてから、第１の地面領域Ｇ１に移動して行っても良いし、ボール１７を投げた作業者Ｍと別人が行っても良い。そして、親綱Ｃが屋根Ｒ上に設置されたら、作業者Ｍが親綱Ｃの一端側をガイドロープ１１から取り外す。
【００４７】
その後、作業者Ｍは、前記各実施形態と同様に、第１の屋根領域Ｒ１の現場調査等の作業を行うことになる。
【００４８】
以上の第３実施形態によれば、第１実施形態よりも簡単にボール１７を反対側の地面に到達させることが可能になるとともに、親綱Ｃを投げて屋根Ｒ上を移動させる必要がなく、屋根面の損傷を防止することができる。
【００４９】
なお、前記第２及び第３の実施形態で使用される連結手段３０としては、梯子１４に登る作業者Ｍの墜落を防止できる限り、種々の構造のものを採用することができる他、墜落防止器具３３を省略することもできる。また、他の手段で安全が確保されている限りにおいて、連結手段３０による作業者Ｍと梯子１４との連結を省略して前述の各作業を行うことも可能である。
【００５０】
更に、前記各実施形態において、梯子１４を軒先部Ｈ１に立て掛ける際には、図６を用いて以下で説明する手法を採用すると良い。
【００５１】
すなわち、先ず、作業者Ｍが、図６（Ａ）に示されるように、第２の地面領域Ｇ２上に倒した状態で置かれた梯子１４に、紐状体３６を接続する。すなわち、梯子１４を立てたときに地面側となる下側部分の踏さん１４Ｂの部分（例えば、下から６、７段目の部分）に、紐状体３６の一端側が結び付けられる。なお、この紐状体３６としては、以下の作業が可能になるものであれば何でも良く、親綱Ｃやロープ等を採用することができる。そして、紐状体３６は、梯子１４の同図中天面側から、同左端側となる最下段の踏さん１４Ｂに掛け回された上で、梯子１４の同図中地面側に敷設され、梯子１４と第２の地面領域Ｇ２の間に介在した状態とされる。その状態から、紐状体３６の他端側を梯子１４の延出方向に沿って張力を付与しながらピンと張った状態で延ばす。その後、図６（Ｂ）、（Ｃ）に示されるように、作業者Ｍが、紐状体３６を踏んだ状態で、紐状体３６の他端側から一端側に向かって歩き、梯子１４の上側部分を持ち上げながら梯子１４を次第に起立させる。そして、作業者Ｍは、梯子１４の支柱１４Ａにおける出来るだけ高い位置の側面と、作業者Ｍの胸部の高さに位置する踏さん１４Ｂとを手で持ち、バランスを取りながら梯子１４の上側部分を軒先部Ｈ１（図１等参照）に移動させる。その後、梯子１４が軒先部Ｈ１に固定されると、紐状体３６が梯子１４から取り外される。この手法によれば、梯子１４の下側部分に接続された紐状体３６により梯子１４の下端が掛け回された状態で、作業者Ｍが紐状体３６を踏みながら梯子１４を立てることになるため、梯子１４を立てる際に支点となる梯子１４の下端側が動き難くなり、当該下端側を押さえるための別の作業者Ｍが不要になり、一人の作業者Ｍで梯子１４を立てることが可能になる。
【００５２】
その他、本発明における手順、構成は、前述の実施形態に限定されるものではなく、実質的に同様の作用を奏する限りにおいて、種々の変更が可能である。
【符号の説明】
【００５３】
１１  ガイドロープ
１２  固定部材
１４  梯子
１６  ロープ本体
１７  ボール
１９  固定穴
３０  連結手段
３２  ロープ
３３  墜落防止器具
３６  紐状体
Ｇ１  第１の地面領域
Ｇ２  第２の地面領域
Ｈ  家屋
Ｈ１  軒先部
Ｍ  作業者
Ｒ  屋根
【図１】
2013007196.tif 000003
【図２】
2013007196.tif 000004
【図３】
2013007196.tif 000005
【図４】
2013007196.tif 000006
【図５】
2013007196.tif 000007
【図６】
2013007196.tif 000008